(57)【要約】【課題】スタンバイモードを有し、ネットワークインタフェースを備えた投射型映像表示装置において、システム構成を簡素化し、安定した動作を得る。【解決手段】スタンバイモードでは、不揮発性メモリ２０は、ネットワークマイコン１８に接続されて稼働状態にあり、操作パネル２２やリモコン装置２８の入力を受け付ける。投射モードでは、ネットワークマイコン１８が電源部２７を制御してメインマイコン１６に給電する。この給電により、切替器２１が不揮発性メモリ２０をメインマイコン１６に接続する。【選択図】図２
2011035798.tif 000002
【特許請求の範囲】
【請求項１】
通常動作時に装置本体を制御するメインマイコンと、
外部機器とのネットワーク通信を制御するネットワークマイコンと、
前記メインマイコンおよび前記ネットワークマイコンに電源を供給する電源部と、を備えた投射型映像表示装置であって、
スタンバイ時に前記ネットワークマイコンはスリープ状態で前記投射型映像表示装置を制御するとともに、前記電源部に前記メインマイコンへの電源供給を停止させることを特徴とする投射型映像表示装置。
【請求項２】
前記メインマイコンおよび前記ネットワークマイコンの各種設定データを記憶する１個の不揮発性メモリと、
前記不揮発性メモリの接続を前記メインマイコンと前記ネットワークマイコンに切り替える切替器と、をさらに備え、
前記メインマイコンに電源が供給されたときに、前記切替器が前記不揮発性メモリをメインマイコン側に接続することを特徴とする請求項１に記載の投射型映像表示装置。
【請求項３】
前記メインマイコンは、電源が供給されたときに信号を発生する電源監視端子を備え、前記電源監視端子に信号が発生したときに、前記切替器が前記不揮発性メモリを前記メインマイコン側に接続することを特徴とする請求項２に記載の投射型映像表示装置。
【発明の詳細な説明】
【技術分野】
【０００１】
本発明は、プロジェクタなどの投射型映像表示装置に関し、くわしくは、省電力化に対応したスタンバイモードを備えた投射型映像表示装置に関する。
【背景技術】
【０００２】
ＤＬＰ（Ｄｉｇｉｔａｌ  Ｌｉｇｈｔ  Ｐｒｏｃｅｓｓｉｎｇ）（登録商標）プロジェクタなどの投射型映像表示装置（以下、単に「プロジェクタ」ともいう）は、光源からの光をＤＭＤ（Ｄｉｇｉｔａｌ  Ｍｉｃｒｏｍｉｒｒｏｒ  Ｄｅｖｉｃｅ）などの光学表示素子に照射し、照射された光を映像信号で変調してスクリーンに映像を拡大投射する。高輝度なプロジェクタを実現するためには、光源として水銀ランプ等の高輝度な放電ランプを使用する必要がある。放電ランプを点灯したままプロジェクタを待機状態にすると無駄な電力を消費するとともに、放電ランプおよび周辺の光学部品の寿命にも悪影響を与える。そこで、通常のプロジェクタは、待機中に放電ランプや主要な回路への電源供給を停止し、利用者からの操作を受け付ける操作部や外部機器との通信を行う通信回路などの最小限の回路にのみ電源を供給するスタンバイモードを備えている。
【０００３】
またプロジェクタのほとんどの機能はマイクロコンピュータ（以下、「マイコン」と略記する）によって制御されるが、上記スタンバイモードで動作する操作受付機能や通信機能の処理負荷は比較的軽く、このために高機能なマイコンを動作させるのは消費電力の観点から効率的でない。そこで、通常動作時に動作する高機能なメインマイコンとは別に、スタンバイ時に動作する低消費電力のサブマイコン（「スタンバイマイコン」ともいう）を搭載してスタンバイ時の消費電力を低減している（例えば、特許文献１を参照）。またマスタおよびスレーブの２つのマイコンで１個の不揮発性メモリを共用する方法も提案されている（例えば、特許文献２を参照）。
【０００４】
また最近では、プロジェクタの動作状態の監視、エラーログの収集あるいは遠隔操作等の目的でＬＡＮ（Ｌｏｃａｌ  Ａｒｅａ  Ｎｅｔｗｏｒｋ）などのネットワークに対応したプロジェクタも登場してきている。
【０００５】
ネットワークの制御はＲＳ−２３２Ｃなどのシリアル通信の制御と較べて処理負荷が重く専用のネットワークマイコン（以下、「ＮＴマイコン」ともいう）で処理される場合が多い。
【０００６】
このようにメインマイコンとサブマイコンおよびＮＴマイコンを備えたプロジェクタの構成を図４に示す。
【０００７】
図４について説明すると、投射モード（通常動作時）において、メインマイコン１０１は映像処理・光学系駆動部１０５を制御する。サブマイコン１０２は、操作パネル１０６、リモコン受信部１０７、通信端子（ＲＳ−２３２Ｃ）１０８などの入力部と、装置の状態を示す表示部１０９を制御する。スタンバイモードでは、メインマイコンは休止常態にあり、このサブマイコン１０２が動作状態となる。ＮＴマイコン１０３は、無線ＬＡＮ等のネットワークインタフェース１１０を備える。これら３個のマイコンは、それぞれのマイコンが制御する対象の各種設定データ等を記憶する不揮発性メモリ（ＥＥＰＲＯＭ）とマイコンのワークエリアとしてのＲＡＭを備える。また３個のマイコンは、電源部１０４により電源供給を受ける。なお、図示していないが、各マイコンにはプログラムコードを格納するフラッシュＲＯＭが接続されている。
【先行技術文献】
【特許文献】
【０００８】
【特許文献１】特開２００６−３０８９３４号公報
【特許文献２】特開２００６−３２３６１７号公報
【発明の概要】
【発明が解決しようとする課題】
【０００９】
しかしながら、図４に示す構成にすると、構成が複雑になり、したがって高価になる上に、省電力を図る上でも不都合である。また、構成を簡単にするために、例えば特許文献２に示すような、２個のマイコンが１個の不揮発性メモリを共用する方法が提案されているが、この方法は、不揮発性メモリの切替タイミングが不規則であると、マイコンの動作に支障を来し、マイコンが安定して動作できないことがあった。
【００１０】
本発明は、このようなことに鑑みてなされたものであり、構成が簡素でマイコンが安定して動作する投射型映像表示装置を提供することを目的としたものである。
【課題を解決するための手段】
【００１１】
上記目的を達成するために、本発明の投射型映像表示装置は、通常動作時に装置本体を制御するメインマイコンと、外部機器とのネットワーク通信を制御するネットワークマイコンと、メインマイコンおよびネットワークマイコンに電源を供給する電源部と、を備えた投射型映像表示装置であって、スタンバイ時にネットワークマイコンはスリープ状態で投射型映像表示装置を制御するとともに、電源部にメインマイコンへの電源供給を停止させることを特徴とする。
【００１２】
このような構成により、従来のスタンバイマイコンの役割をネットワークマイコンが果たすことが可能となり、投射型映像表示装置の構成を簡単にできるとともに、装置の消費電力を低減することができる。
【００１３】
また本発明の投射型映像表示装置では、メインマイコンおよびネットワークマイコンの各種設定データを記憶する１個の不揮発性メモリと、不揮発性メモリの接続をメインマイコンとネットワークマイコンに切り替える切替器と、をさらに備え、メインマイコンに電源が供給されたときに、切替器が不揮発性メモリをメインマイコン側に接続するようにしてもよい。
【００１４】
このような構成により、メインマイコンとネットワークマイコンで１個の不揮発性メモリを共有することができるので、制御部の構成を簡単にできるとともに、装置のさらなる消費電力化が可能となる。
【００１５】
また本発明の投射型映像表示装置では、メインマイコンは、電源が供給されたときに信号を発生する電源監視端子を備え、電源監視端子に信号が発生したときに、切替器が不揮発性メモリをメインマイコン側に接続してもよい。
【００１６】
このような構成により、投射型映像表示装置がスタンバイモードから通常動作モード（投射モード）に切り替わった際に、メインマイコンの動作が不安定になることを避けることができる。
【発明の効果】
【００１７】
本発明によれば、構成が簡素で、メインマイコンの動作が安定した投射型映像表示装置を提供することができる。
【図面の簡単な説明】
【００１８】
【図１】本発明の実施の形態における投射型映像表示装置の設置の一例を示す図である。
【図２】同投射型映像表示装置の内部構成を示すブロック図である。
【図３】同投射型映像表示装置の動作を示すフローチャートである。
【図４】従来の投射型映像表示装置の内部構成を示すブロック図である。
【発明を実施するための形態】
【００１９】
以下に、本発明の実施の形態について、図面を参照しながら説明する。
【００２０】
（実施の形態）
まず、図１と図２を用いて本発明の実施の形態における投射型映像表示装置１の構成を説明する。
【００２１】
図１は、本実施の形態における投射型映像表示装置１（以下、単に「本装置１」ともいう）の設置の一例を示す図である。また、図２は、本装置１の内部構成を示すブロック図である。
【００２２】
本装置１は、例えば建物の天井１ａに設置され、壁面３１に設置されたスクリーン３０に映像を投射する。
【００２３】
本装置１へは、壁面３１に設けた電源スイッチ４０の操作で、電源が供給される。パソコンやＤＶＤプレーヤーの映像出力が壁面に設けた入力端子５０を介して本装置１に入力される。利用者はリモコン２８を操作して本装置１の起動、停止、各種モードの切り替えなどの操作を行う。また、パソコンやＤＶＤプレーヤーからの映像信号は入力端子５０を介さずに無線等で直接、本装置１へ入力してもよい。
【００２４】
図２に示すように、本装置１の映像投射部は、映像入力端子２に入力された映像信号（例えば、ＤＶＤの再生映像）に対して、ＤＭＤ素子５を駆動するための画像処理を施す画像処理部３と、画像処理部３の出力画像信号でＤＭＤ素子５をドライブするためのＤＭＤ駆動部４と、高輝度白色光を発する放電ランプ６と、放電ランプ６からの白色光を３原色（赤、緑、青）に時分割で分光するカラーホイール７と、輝度分布を均一化するためのロッドインテグレータ８と、ミラー９と、投射レンズ１０と、カラーホイール７を回転させるモータ１１と、カラーホイール７の回転を映像信号に同期させるためのモータ駆動部１２と、放電ランプ６に必要な電圧を印加するためのランプ駆動部１４と、放電ランプ６を冷却するための冷却ファン１３と、この冷却ファン１３を駆動するファン駆動部１５とで構成される。
【００２５】
放電ランプ６の点灯で発生する高輝度の白色光は、カラーホイール７を透過して３原色に時分割で分光され、ロッドインテグレータ８で輝度分布が均一化されるとともに適正な投射角度でミラー９に照射、屈折されてＤＭＤ素子５に照射される。ＤＭＤ素子５において映像信号で変調された反射光が投射レンズ１０で拡大されてスクリーン３０に映像として投射される。
【００２６】
本装置１の制御部は、通常動作時（投射モード）において、本装置１を制御するメインマイコン１６と、スタンバイ時に本装置１を制御するＮＴマイコン１８を中心に構成される。両者には、それぞれＲＡＭ１７、１９が接続される。フラッシュメモリなどの不揮発性メモリ（ＥＥＰＲＯＭ）２０は、切替器２１によりメインマイコンとＮＴマイコンのいずれかに接続される構成である。なお、図示していないが、メインマイコン１６とＮＴマイコン１８にはプログラムコードを格納するフラッシュＲＯＭがそれぞれ接続されている。フラッシュＲＯＭに格納されたそれぞれのプログラムコードはＲＡＭ１７、１９上に展開されて制御動作が行われる。
【００２７】
メインマイコン１６は、メインマイコン１６に電源が供給されたときに信号を発生する電源監視端子１６ａを有し、切替器２１は、この電源監視端子１６ａの信号により、不揮発性メモリ２０をメインマイコン１６側に接続する。
【００２８】
メインマイコン１６は不揮発性メモリ２０に収納された各種設定データを読み込んで本装置１を制御する。またメインマイコン１６はＮＴマイコン１８と相互に通信し、利用者からの操作指示を受け付けたＮＴマイコン１８の指示に従い、ランプ駆動部１４、モータ駆動部１２を制御し、また、画像処理部３と連携して、映像の色調や輝度などの調整も行う。
【００２９】
ＮＴマイコン１８には、操作パネル２２と、リモコン２８からの信号を受信するリモコン受信部２３と、外部のパソコン６０等の外部機器と通信する通信部（ＲＳ−２３２Ｃ）２４と、本装置１の状態をＬＥＤ等で表示する表示部２５、ネットワークインタフェース（ネットワークＩ／Ｆ）２６およびファン駆動部１５が接続される。
【００３０】
このＮＴマイコン１８には、電源スイッチ４０がオンしている期間は、電源部２７により、常時電源供給を受けていて、不揮発性メモリ２０に収納された各種設定データを読み込んで本装置１を制御する。またＮＴマイコン１８は、利用者からの操作指示を受け付けるまでは、スリープ状態を継続し、消費電力の最小化を図っている。
【００３１】
また、ＮＴマイコン１８は、電源部２７に指示してメインマイコン１６への電源供給を制御する機能を有する。
【００３２】
スタンバイモードでは、ＮＴマイコン１８は、メインマイコン１６への給電を停止し、投射モードの入力指示を受けたときに給電開始指示を行う。
【００３３】
次に、図１と図２を参照しながら図３を用いて本発明の実施の形態における投射型映像表示装置１の動作を説明する。
【００３４】
ステップＳ１において、電源スイッチ４０をオンにすると、ステップＳ２において、ＮＴマイコン１８に電源が供給される。このとき、不揮発性メモリ２０は、ＮＴマイコン１８に接続されており、ＮＴマイコン１８が、不揮発性メモリ２０に収納された各種設定データを読み込んだ後に、本装置１はスタンバイモードになる。この状態では、ＮＴマイコン１８はスリープ状態を継続し、利用者の操作指示を待ち受ける。
【００３５】
ステップＳ３において、利用者が操作パネル２２またはリモコン装置２８を操作して投射モードを選択すると、ステップＳ４においてＮＴマイコン１８は、ファン駆動部１５を駆動し、不揮発性メモリ２０へのアクセス作業を休止するとともに、電源部２７を制御して、メインマイコン１６に給電する。次にステップＳ５において、メインマイコン１６の電源監視端子１６ａに信号が発生する。ステップＳ６において、電源監視端子１６ａの信号により、切替器２１は、不揮発性メモリ２０をメインマイコン１６側に接続する。ステップＳ７において、メインマイコン１６は、不揮発性メモリ２０に収納された各種設定データを読み込んで、ランプ駆動部１４やモータ駆動部１２のほか、前述の投射映像部の各要素を駆動して、本装置１は投射モードになる。この投射モードにおいては、映像入力端子から入力されたビデオ映像や、ネットワークインタフェース２６から入力される画像をスクリーン３０に投射できる。また、操作パネル２２またはリモコン装置２８の操作による投射映像の画質調整等の指示はＮＴマイコン１８からメインマイコン１６に伝達され、メインマイコン１６は、不揮発性メモリ２０に収納された画質調整等にかかわるデータを参照して画像処理部３を制御する。
【００３６】
次にステップＳ８において、操作パネル２２またはリモコン装置２８が操作され、投射モード終了が選択されると、ステップＳ９において、ＮＴマイコン１８は、メインマイコン１６に通知する。ステップＳ１０においてメインマイコン１６は、前述のランプ駆動部１４やモータ駆動部１２のほか、前述の投射映像部の各要素の駆動を停止して投射終了処理を行い、ステップＳ１１において投射終了処理が終了した旨をＮＴマイコン１８に通知する。ＮＴマイコン１８は、次のステップＳ１２において、電源部２７を制御してメインマイコン１６への給電を停止する。その結果、電源監視端子１６ａの信号がなくなり、次のステップＳ１３において、切替器２１が不揮発性メモリ２０をＮＴマイコン１８に接続する。次のステップＳ１４において、ＮＴマイコン１８は、ステップＳ２と同様の動作を行って本装置１はスタンバイモードになる。
【００３７】
なお、ファン駆動部１５は、所定時間後に動作を停止する。
【００３８】
以上説明したように、本実施の形態の投射型映像表示装置１は、スタンバイモードの機能をＮＴマイコン１８に持たせるとともに、マイコンの各種設定データを記憶する不揮発性メモリ２０をメインマイコン１６と共有する。ＮＴマイコン１８が投射モードの指示を受けたときに、メインマイコン１６に給電を行い、この給電により、切替器２１が不揮発性メモリ２０をメインマイコン１６に接続する構成にしたものである。その結果、システム構成が簡素になるとともに、メインマイコン１６の動作を安定して行えるものである。
【００３９】
なお、上記実施の形態では、光学表示素子としてＤＭＤを使用する例を説明したが、光学表示素子にＬＣＤ（液晶表示素子）を用いても構わない。
【産業上の利用可能性】
【００４０】
本発明は、プロジェクタ等の投射型映像表示装置のみでなく、メインマイコンとは別に低消費電力のネットワークマイコンを使用する省電力のスタンバイモードを備えた一般機器にも幅広く利用が可能である。
【符号の説明】
【００４１】
１    投射型映像表示装置（プロジェクタ、本装置）
１ａ    天井
２    映像入力端子
３    画像処理部
４    ＤＭＤ駆動部
５    ＤＭＤ素子
６    放電ランプ
７    カラーホイール
８    ロッドインテグレータ
９    ミラー
１０    投射レンズ
１１    モータ
１２    モータ駆動部
１３    冷却ファン
１４    ランプ駆動部
１５    ファン駆動部
１６    メインマイコン
１６ａ    電源監視端子
１７    ＲＡＭ
１８    ネットワークマイコン（ＮＴマイコン）
１９    ＲＡＭ
２０    不揮発性メモリ（ＥＥＰＲＯＭ）
２１    切替器
２２    操作パネル
２３    リモコン受信部
２４    通信端子（ＲＳ−２３２Ｃ）
２５    表示部
２６    ネットワークインタフェース（ネットワークＩ／Ｆ）
２７    電源部
２８    リモコン装置
３０    スクリーン
３１    壁面
４０    電源スイッチ
５０    入力端子
６０    パソコン
【図１】
2011035798.tif 000003
【図２】
2011035798.tif 000004
【図３】
2011035798.tif 000005
【図４】
2011035798.tif 000006